(57)【要約】【課題】差込み便器用おむつを装着したとき、男性器を排尿部に向けることにより、排泄孔の周りを濡らすことのないものを提供すること。【解決手段】おむつ本体６７を腰回り包み部６８と股間回り包み部７０と腹回り包み部６９に区分してなる差込み便器用おむつ６６において、前記股間回り包み部７０の略中央に排泄孔７４を形成し、この排泄孔７４に臨ませて男性器保持部８０を設け、この男性器保持部８０は、互いに隙間をもった２本の平行な突条体を排泄孔７４に向けて形成する。【選択図】図１
2015147026.tif 000002
【特許請求の範囲】
【請求項１】
おむつ本体を腰回り包み部と股間回り包み部と腹回り包み部に区分してなる差込み便器用おむつにおいて、前記股間回り包み部の略中央に排泄孔を形成し、この排泄孔に臨ませて男性器保持部を設けたことを特徴とする差込み便器用おむつ。
【請求項２】
男性器保持部は、互いに隙間をもった２本の平行な突条体を排泄孔に向けて形成したことを特徴とする請求項１記載の差込み便器用おむつ。
【発明の詳細な説明】
【技術分野】
【０００１】
本発明は、要介護者のための差込み便器用おむつに関するもので、さらに詳しくは、身動きの不自由な重度要介護者が排泄物処理装置により排尿・排便を自動で処理するときに股間に差込み便器を使用するが、この差込み便器とともに使用され、尿や臭いの漏れをできるだけ防止して股間を清潔に保ち、不快感を軽減するための差込み便器用おむつに関するものである。
【背景技術】
【０００２】
本特許出願の発明者らは、介護施設の患者、寝たきり老人等の要介護者の排尿・排便を自動で検知して排泄処理をするために、要介護者の股間に装着する差込み便器と共に使用する差込み便器用おむつをすでに提案した（特許文献１，２及び３）。
特許文献１に示すものは、図９に示すとおりであり、特許文献２に記載のものを改良したものである。特許文献３に示すものも特許文献１に記載のものと略同様のものである。
この図９において、１００：排泄補助具、１１０：本体部、１１１：可撓接続部、１１２：洗浄液供給ポート、１１３：温風供給ポート、１１４：排泄ポート、１１５：接続端子、１２０：前カップ部、１３０：臀部支持部、１３１：クッション層、１３２：窪み部、１４０：開口部、２００：排泄補助具着用カバー、２０１：前身頃領域、２０２：股下領域、２０３：後身頃領域、２０４：サイドフラップ、２０６：両ファスナタブ、２１０：開口部、２２０：トップシート、２３０：バックシート、２３１：剥離紙、２４０：面ファスナ、２５０：保持シート、２５１：面ファスナ、２５２：面ファスナ、２６０：立体ギャザー、２７０：防漏バリヤである。前記排泄補助具着用カバー２００が本発明と同一目的の差込み便器用おむつであり、前記排泄補助具１００が本発明と同一目的の差込み便器である。
【先行技術文献】
【特許文献】
【０００３】
【特許文献１】特開２００８−１４２２４３号公報
【特許文献２】特開２００６−１４１５９０号公報
【特許文献３】特許第５２５４４９８号公報
【発明の概要】
【発明が解決しようとする課題】
【０００４】
従来の排泄補助具着用カバー２００は、以下のような問題点を有していた。
（１）排泄補助具着用カバー２００を装着したとき、特に男性の場合、男性器が排尿部に向いていないと、開口部２１０の周りを濡らす恐れがあった。
【０００５】
本発明は、差込み便器と差込み便器用おむつとを手際よく短時間でセットすることができ、排便受け部や排尿受け部の周りを濡らすことなく長時間快適に装着できるようにした差込み便器用おむつを提供しようとするものである。
【課題を解決するための手段】
【０００６】
おむつ本体６７を腰回り包み部６８と股間回り包み部７０と腹回り包み部６９に区分してなる差込み便器用おむつ６６において、前記股間回り包み部７０の略中央に排泄孔７４を形成し、この排泄孔７４に臨ませて男性器保持部８０を設けたことを特徴とし、前記男性器保持部８０は、互いに隙間をもった２本の平行な突条体を排泄孔７４に向けて形成したことを特徴とする。
【発明の効果】
【０００７】
請求項１記載の発明によれば、おむつ本体を腰回り包み部と股間回り包み部と腹回り包み部に区分してなる差込み便器用おむつにおいて、前記股間回り包み部の略中央に排泄孔を形成し、この排泄孔に臨ませて男性器保持部を設けたので、特に男性の場合、男性器が排尿部に正く向いて装着され、排泄孔の周りを濡らすことがない。
【０００８】
請求項２記載の発明によれば、男性器保持部は、互いに隙間をもった２本の平行な突条体を排泄孔に向けて形成したので、不慣れな介護者でも正しく装着することができる。
【図面の簡単な説明】
【０００９】
【図１】本発明による差込み便器用おむつ６６の一実施例を示すもので、内面からみた斜視図である。
【図２】本発明による差込み便器用おむつ６６の外面からみた斜視図である。
【図３】本発明による差込み便器用おむつ６６の組み立て作業工程図で、（ａ−１）は、第１工程の内面からみた図、（ａ−２）は、Ａ−Ａ線端面図、（ｂ−１）は、第２工程の内面からみた図、（ｂ−２）は、Ｂ−Ｂ線端面図である。
【図４】本発明による差込み便器用おむつ６６の組み立て作業工程図で、（ｃ−１）は、第３工程の内面からみた図、（ｃ−２）は、Ｃ−Ｃ線端面図、（ｄ）は、第４工程の外面からみた図である。
【図５】本発明による差込み便器用おむつ６６の組み立て作業工程図で、（ｅ）は、第５工程の外面からみた図、（ｆ）は、第６工程の外面からみた図である。
【図６】本発明による差込み便器用おむつ６６とともに使用する差込み便器９の斜視図である。
【図７】図４に示す差込み便器９に褥瘡防止材を取り付けた差込み便器９の斜視図である。
【図８】本発明の差込み便器用おむつ６６を差込み便器９にセットして股間に装着した状態の断面図である。
【図９】従来の排泄補助具１００と排泄補助具着用カバー２００の分解斜視図である。
【発明を実施するための形態】
【００１０】
本発明による差込み便器用おむつ６６は、おむつ本体６７を腰回り包み部６８と股間回り包み部７０と腹回り包み部６９に区分してなる差込み便器用おむつ６６において、前記股間回り包み部７０の略中央に排泄孔７４を形成し、この排泄孔７４に臨ませて男性器保持部８０を設け、この男性器保持部８０は、互いに隙間をもった２本の平行な突条体を排泄孔７４に向けて形成する。
【実施例１】
【００１１】
図１は、本発明による差込み便器用おむつ６６の組み立て後の内面からみた斜視図であり、図２は、同じく外面からみた斜視図である。
この差込み便器用おむつ６６の組み立て順序を図３ないし図５に基づき各工程順に説明する。
【００１２】
（１）第１工程
図３において、（ａ−１）は、差込み便器用おむつ６６の内面からみた図、（ａ−２）は、Ａ−Ａ線端面図である。
薄くて強度のある紙製のおむつ本体６７を用意する。このおむつ本体６７は、横幅が５５〜６０ｃｍ、縦幅が８０〜８５ｃｍで、縦方向に略３等分して手前側が腰回り包み部６８、後方側が腹回り包み部６９で、中間部が股間回り包み部７０となっており、この股間回り包み部７０の部分の横幅は、３５〜４０ｃｍにくびれている。前記腰回り包み部６８の端部付近は、伸ばしたとき約２０ｃｍのゴム等の弾性材入りの腰部ギャザー７３ａとなっており、同様に、股間回り包み部７０の両側付近は、伸ばしたとき約２０ｃｍがゴム等の弾性材入りの股間部ギャザー７３ｂとなっており、伸ばさない状態では、約１２ｃｍに縮んでいる。このおむつ本体６７の内側には、（ａ−２）に示すような肉厚のクッション材７６が腰回り包み部６８と股間回り包み部７０と腰回り包み部６８にかけて貼着されている。前記腰回り包み部６８の両側縁には、２個ずつの面ファスナ７２付きの固着片７１が突出して設けられている。
【００１３】
（２）第２工程
図３において、（ｂ−１）は、差込み便器用おむつ６６の内面からみた図、（ｂ−２）は、Ｂ−Ｂ線端面図である。
前記股間回り包み部７０と腹回り包み部６９の境界付近に、直径２ｃｍ、長さ１０ｃｍ程度に丸めた軟質材の突条体からなる男性器保持部８０を約１０ｃｍの間隔をおいて長手方向に向けてクッション材７６の上に貼着する。股間回り包み部７０における略中心位置に、幅１６ｃｍ程度、長さ４０ｃｍ程度の内側防水紙６２が前記男性器保持部８０を保持しつつ貼着される。この内側防水紙６２の略中央には、図中下端部が約８〜１０ｃｍ（後述する差込み便器９の排便受け部１４の直径と略同じ）の半円形で上端部が約２０ｃｍの長方形で、全体として釣鐘形状の排泄孔７４がクッション材７６と股間回り包み部７０を貫通して穿設される。
【００１４】
（３）第３工程
図４において、（ｃ−１）は、差込み便器用おむつ６６の内面からみた図、（ｃ−２）は、Ｃ−Ｃ線端面図である。
前記内側防水紙６２の上面の排泄孔７４の内縁部に沿って幅が約５ｃｍの内側ギャザーテープ７７ａがそれぞれ貼着される。この両側の内側ギャザーテープ７７ａは、内側縁部と両端が貼着され、貼着されない外側縁部は、ゴム等の弾性材入りで収縮するので、図４（ｃ−２）に示すように、排泄孔７４側に立ち上がる。この内側ギャザーテープ７７ａの外側に、更に腰回り包み部６８から股間回り包み部７０を経て腹回り包み部６９までの長い外側ギャザーテープ７７ｂがそれぞれ貼着される。この両側の外側ギャザーテープ７７ｂも内側ギャザーテープ７７ａと同様に内側縁部と両端が貼着され、貼着されない外側縁部は、ゴム等の弾性材入りで収縮するので、図４（ｃ−２）に示すように、内側に立ち上がる。
【００１５】
（４）第４工程
図４において、（ｄ）は、差込み便器用おむつ６６の外面からみた図である。
おむつ本体６７の外面には、前記排泄孔７４を被覆するように、幅１８ｃｍ程度、長さ３０ｃｍ程度の外側防水紙６３を貼着する。この外側防水紙６３の上に、瓢箪型の便座固着紙６１が貼着される。この便座固着紙６１の外側面には、接着剤が塗布され、剥離紙で保護されている。
【００１６】
（５）第５工程
図５において、（ｅ）は、差込み便器用おむつ６６の外面からみた図である。
外側防水紙６３と便座固着紙６１に切り込み線６０を入れる。この切り込み線６０は、排泄孔７４の半円形部分には、半円形よりやや小さな円形（後述する差込み便器９の排便受け部１４を露出させるため）と、この円形部分の下端に小さな半円形（後述する差込み便器９の洗浄水ノズル１７を露出させるため）の切り欠き８９を設け、また、排泄孔７４の長方形部分には、中心の縦直線と上端の横直線でＴ字状に切り込み線６０を形成し、更に切り欠き８９の周囲に放射状に切り込み線６０を形成する。このような切り込み線６０を形成することで、排泄孔７４の周りに折り返すことのできる貼着代７５となる。前記腹回り包み部６９には、約１２×４２ｃｍの細長い面ファスナ７２が貼着される。
【００１７】
（６）第６工程
図５において、（ｆ）は、差込み便器用おむつ６６の外面からみた図である。
腰回り包み部６８に、吸湿性と防水性を有する便座受けシート７８を約下半分を３方の周縁部で貼着し、上半分の３方の周縁部に接着剤を塗布し、剥離紙で保護しておく。このとき、腰回り包み部６８と便座受けシート７８の間に差し込み孔７９が形成される。この便座受けシート７８の幅は、後述する差込み便器９の尻受け部１３が差し込み孔７９からスムーズに挿入され、差し込み孔７９の深さは、尻受け部１３が差し込み孔７９の奥部まで差し込まれたとき、差込み便器用おむつ６６の切り欠き８９が差込み便器９の排便受け部１４に一致する位置とする。また、便座受けシート７８の上半分の長さは、少なくとも差込み便器９の排便受け部１４と排尿受け部１５の一部を被覆できるように延長する。
また、便座固着紙６１の上部には、縦向きの隙間保持テープ８１が上端を接着して設けられ、下端部内側に接着剤が塗布されて剥離紙で保護されている。この隙間保持テープ８１のやや下側には、隙間保持テープ８１と交差するように横向きの隙間保持テープ８２が一端を接着して設けられ、略中央部と他端部の内側に接着剤が塗布されて剥離紙で保護されている。
【００１８】
つぎに、本発明の差込み便器用おむつ６６とともに使用される差込み便器９の一例を説明する。
図６において、差込み便器９は、大まかに分けて便座本体部１０と、後カバー部１１と、前蓋部１２と、尻受け部１３とからなる。
前記便座本体部１０は、直径が略９〜１０ｃｍ程度の皿状の窪みを有する排便受け部１４と、この排便受け部１４から直角か直角よりわずかに後方に傾き、幅が略５ｃｍ、高さが略１７ｃｍ、深さが略２ｃｍの縦型溝状の排尿受け部１５とからなる。
【００１９】
前記排便受け部１４は、前端から後端にやや傾斜しており、後端に連通して排便吸引孔１９となる筒部が一体に突出しており、この排便受け部１４の前端部には、洗浄水ノズル１７が設けられている。また、前記排便受け部１４の左右の縁部から前記排尿受け部１５の縁部に連続する部分にかけて２〜３ｃｍ程度の幅の広い太股受け部１６が両側にわずかに傾斜して設けられている。前記排便受け部１４の背面には、図示しない配線板が設けられ、この配線板に搭載した１個の大便センサ２３が排便受け部１４の上面の略中央に露出し、４個の小便センサ２４が大便センサ２３の周りに露出して設けられている。
【００２０】
前記洗浄水ノズル１７の上端部には、肛門と陰部を洗浄する上向き噴射ノズルが水平に対し４０〜５０度の角度で設けられ、また、側面部には、排便受け部１４の上面全体に噴射するように略１８０度の広角の水平噴射ノズルが設けられている。この洗浄水ノズル１７の下端部には、後述する送水管５４と連結する導水管が連結されている。
前記排尿受け部１５の略中間位置には、肛門と陰部を洗浄する洗浄水ノズル１８が設けられている。前記排便受け部１４の表面は、テフロン（登録商標）などの低摩擦材が塗布され、糞尿の付着を防止するとともに、流れをよくしている。
【００２１】
前記後カバー部１１は、前記便座本体部１０との底面側と背面側と側壁側とにやや隙間をもって固着され、前記便座本体部１０の排便受け部１４と排尿受け部１５の背面から取り付けられる。この後カバー部１１の背面側には、下から順に、排泄物吸引ホース５２、空気供給管５３、送水管５４、電気コード５５が設けられている。
【００２２】
前記排泄物吸引ホース５２は、つぶれないが屈曲可能な材質からなり、要介護者が差込み便器９を装着したままで、腰をかがめて起き上がるのを容易にしている。
前記空気供給管５３には、便座本体部１０と、後カバー部１１の内部を通る２本の空気送り管が取り付けられ、排便受け部１４の送風路４６に連結している。前記外部からの温水の送水管５４には、洗浄水ノズル１７及び１８と連通している。前記洗浄水ノズル１８は、排尿受け部１５の略中央に露出して設けられ、排尿後の男性器や女性器を洗浄する。前記電気コード５５は、大便センサ２３、小便センサ２４に接続され、電気信号の入出力、電源の供給等が行われる。
【００２３】
次いで、図７に示すように、褥瘡防止用の第１褥瘡防止材５７と第２褥瘡防止材５８と第３褥瘡防止材５９を装着時に皮膚が圧迫される部分に嵌め込む。前記第１褥瘡防止材５７は、排尿受け部１５の両側の縁部に上から被せ、前記第２褥瘡防止材５８は、太股受け部１６の上に上から被せる。第１褥瘡防止材５７と第２褥瘡防止材５８は、一体のものでもよい。
これらの第１褥瘡防止材５７と第２褥瘡防止材５８と第３褥瘡防止材５９は、差込み便器用おむつ６６を介在して装着したとき、体圧が５０ｍｍＨｇ以下、さらに好ましくは、３２ｍｍＨｇ以下となるものが望ましい。
【００２４】
以上のように構成された差込み便器９と差込み便器用おむつ６６をセットして装着する順序を説明する。
（１）図７に示す差込み便器９の尻受け部１３を、図８に示す差込み便器用おむつ６６の差込み孔７９に先端が奥部に突き当たるまで差し込む。すると、差込み便器用おむつ６６の排泄孔７４が排便受け部１４と正確に一致し、また、洗浄水ノズル１７が排泄孔７４の切り欠き８９から露出する。この状態で、排泄孔７４の円形孔周縁の貼着代７５の剥離紙をはがして前蓋部１２の導風板部３９に貼り付け、また、排泄孔７４の直線部の貼着代７５の剥離紙をはがして排便受け部１４の内壁部８８と排尿受け部１５の内壁部に貼り付ける。
【００２５】
（２）差込み便器用おむつ６６と差込み便器９をセットして要介護者の股間にあてがう。このとき、臀部が尻受け部１３の第３褥瘡防止材５９の上に載るようにすると、肛門８５が排便受け部１４の大便センサ２３のほぼ真上に位置し、太股の根元部分が差込み便器９の太股受け部１６に被せた第２褥瘡防止材５８に差込み便器用おむつ６６を介在して密着する。また、排泄孔７４の両側には、それぞれ２本ずつの内側ギャザーテープ７７ａと外側ギャザーテープ７７ｂが立ち上がって、太股の根元部分に密着して尿や洗浄水の漏れと臭いの漏れを可能な限り防止している。
【００２６】
（３）密着したら、腹回り包み部６９を患者等の腹の上まで折り返す。このとき、患者等が男性の場合、男性器保持部８０の間に男性器を位置させて尿道が排尿受け部１５に正しく向くように位置させる。患者等が女性の場合、女性器は排尿受け部１５の洗浄水ノズル１８に略対峙する。
【００２７】
（４）患者等の腹の上から腹回り包み部６９を巻き込み、この腹回り包み部６９の両側から腰部ギャザー７３ａを伸ばしながら腰回り包み部６８を被せて固着片７１の面ファスナー７２を腹回り包み部６９の面ファスナー７２に係止する。
【００２８】
（５）差込み便器９の排便受け部１４と排尿受け部１５と患者等の泌尿器との間に適正な空間を形成して、糞尿が排泄孔７４の周りの差込み便器用おむつ６６に付着しないようにするため、隙間保持テープ８１を引き込んで、差込み便器用おむつ６６の外面を差込み便器９の第１褥瘡防止材５７に密着させつつ、この隙間保持テープ８１の剥離紙を取り除いて便座本体部１０の背面部に貼り付け、更に、隙間保持テープ８１が剥がれないように、隙間保持テープ８１に交差して隙間保持テープ８２を便座本体部１０の外側面に接着する。このとき、図７に示すように、排尿受け部１５の上端部が後方にやや傾いているが、第１褥瘡防止材５７の前面が略垂直になっているので、排尿受け部１５と患者等の泌尿器との間に適正な空間が形成される。
差込み便器用おむつ６６には、排泄孔７４の両側に２本ずつの内側ギャザーテープ７７ａと外側ギャザーテープ７７ｂが形成され、更に股間回り包み部７０の両側に股間部ギャザー７３ｂが形成されているので、糞尿や洗浄水が差込み便器用おむつ６６から漏れることはほとんどない。
【００２９】
（６）しかし、差込み便器用おむつ６６と差込み便器９のセットの仕方が不十分なため、排便受け部１４と排尿受け部１５の両側から漏れる恐れがあることをさらに防止するため、差込み便器用おむつ６６の外面の便座受けシート７８を延長させて排便受け部１４の外側を包み込み、便座受けシート７８の剥離紙を除いて便座本体部１０と後カバー部１１に隙間なく貼り付ける。便座受けシート７８は、防水と吸水の機能を持たせることにより、差込み便器９の外部に漏れることから確実に防止する。
【００３０】
以上のようにした差込み便器用おむつ６６と差込み便器９をセットして装着し、排便、排尿を大便センサ２３や小便センサ２４で感知すると、図示しない排泄物処理装置が駆動して差込み便器９内の排便と排尿を排便吸引孔１９から吸引処理し、温水で洗浄し、温風で乾燥する。
【符号の説明】
【００３１】
１０…便座本体部、１１…後カバー部、１２…前蓋部、１３…尻受け部、１４…排便受け部、１５…排尿受け部、１６…太股受け部、１７、１８…洗浄水ノズル、１９…排便吸引孔、２３…大便センサ、２４…小便センサ、３９…導風板部、４６…送風路、５２…排泄物吸引ホース、５３…空気供給ホース、５４…送水管、５５…電気コード、５７…第１褥瘡防止材、５８…第２褥瘡防止材、５９…第３褥瘡防止材、６０…切り込み線、６１…便座固着紙、６２…内側防水紙、６３…外側防水紙、６６…差込み便器用おむつ、６７…おむつ本体、６８…腰回り包み部、６９…腹回り包み部、７０…股間回り包み部、７１…固着片、７２…面ファスナ、７４…排泄孔、７５…貼着代、７６…クッション材、７８…便座受けシート、７９…差し込み孔、８０…男性器保持部、８１…隙間保持テープ、８２…隙間保持テープ、８４…男性器、８５…肛門、８８…内壁部、８９…切り欠き。
【図１】
2015147026.tif 000003
【図２】
2015147026.tif 000004
【図３】
2015147026.tif 000005
【図４】
2015147026.tif 000006
【図５】
2015147026.tif 000007
【図６】
2015147026.tif 000008
【図７】
2015147026.tif 000009
【図８】
2015147026.tif 000010
【図９】
2015147026.tif 000011
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
おむつ本体を腰回り包み部と股間回り包み部と腹回り包み部に区分してなる差込み便器用おむつにおいて、前記股間回り包み部の略中央に排泄孔を形成し、この排泄孔に臨ませて互いに隙間をもった２本の平行な突条体を排泄孔に向けて形成してなる男性器保持部を設けたことを特徴とする差込み便器用おむつ。
【手続補正２】
【補正対象書類名】明細書
【補正対象項目名】０００７
【補正方法】変更
【補正の内容】
【０００７】
請求項１記載の発明によれば、おむつ本体を腰回り包み部と股間回り包み部と腹回り包み部に区分してなる差込み便器用おむつにおいて、前記股間回り包み部の略中央に排泄孔を形成し、この排泄孔に臨ませて互いに隙間をもった２本の平行な突条体を排泄孔に向けて形成してなる男性器保持部を設けたので、特に男性の場合、男性器が排尿部に正く向いて装着され、排泄孔の周りを濡らすことがない。また、不慣れな介護者でも正しく装着することができる。
【手続補正３】
【補正対象書類名】明細書
【補正対象項目名】０００８
【補正方法】削除
【補正の内容】